(57)【要約】【課題】簡単な構造で各栽培ポット内に達する培養水の水流を充分に確保して、液肥や酸素の供給を増加させ、藻の発生や腐敗を防止するとともに、外部に伸びた根が絡むことを防止する水耕栽培トレイを提供すること。【解決手段】底部に培養水Ｗが通過可能な孔１１１を有する栽培ポット１１０を複数整列して配置してなる水耕栽培トレイ１００において、栽培ポット１１０が底部の孔１１１の周囲に円周方向に互いに間隙１１３を有して下方に突出した複数の突起部１１２を有すること。【選択図】図１
2011087520.tif 000002
【特許請求の範囲】
【請求項１】
底部に培養水が通過可能な孔を有する栽培ポットを複数整列して配置してなる水耕栽培トレイにおいて、
前記栽培ポットが、底部の孔の周囲に円周方向に互いに間隙を有して下方に突出した複数の突起部を有することを特徴とする水耕栽培トレイ。
【請求項２】
前記突起部が、前記孔の周囲に３つ以上、等角度間隔で設けられていることを特徴とする請求項１に記載の水耕栽培トレイ。
【請求項３】
前記複数の突起部の間隙が、前記複数整列して配置された隣接する栽培ポットにおいて対向しない位置に設けられていることを特徴とする請求項１または請求項２に記載の水耕栽培トレイ。
【請求項４】
前記複数整列して配置された栽培ポットが、一体に成型されていることを特徴とする請求項１乃至請求項３のいずれかに記載の水耕栽培トレイ。
【請求項５】
前記突起部が、四隅に配置された栽培ポットと中央部に配置された一部の栽培ポットにのみ設けられていることを特徴とする請求項４に記載の水耕栽培トレイ。
【請求項６】
前記突起部が、その断面形状を前記孔の反対側に頂点が位置する扁平な５角形状に形成され、該孔の反対側に位置する頂点以外の頂点が曲線状に面取りされていることを特徴とする請求項１乃至請求項５のいずれかに記載の水耕栽培トレイ。
【発明の詳細な説明】
【技術分野】
【０００１】
本発明は、底部に培養水が通過可能な孔を有する栽培ポットを複数整列して配置してなる水耕栽培トレイに関するものである。
【背景技術】
【０００２】
従来、底部に培養水が通過可能な孔を有する栽培ポットを複数整列して配置し、各栽培ポットに植物の苗を収容して日照、潅水、施肥などを行って植物を育成する水耕栽培トレイが知られている。
【０００３】
公知の水耕栽培トレイ５００は、例えば図８、図９に示すように、苗床Ｂに保持された植物Ｐを苗毎に収容する複数の栽培ポット５１０が整列して配置されている。
各栽培ポット５１０は底部に培養水Ｗが通過可能な孔５１１を有しており、水耕栽培トレイ５００全体を培養水Ｗの供給される培養槽Ｓに収容して、各栽培ポット５１０に収容された植物Ｐを育成するように構成されている（例えば、特許文献１参照。）。
【先行技術文献】
【特許文献】
【０００４】
【特許文献１】特開２００８−３５７３４号公報（第１頁乃至第５頁、図１乃至図６）
【発明の概要】
【発明が解決しようとする課題】
【０００５】
しかしながら、公知の水耕栽培トレイ５００は、栽培ポット５１０の底部が平面状であるため、図９に示すように、培養水Ｗは、培養槽Ｓと孔５１１の間に生じる僅かな隙間を通過し孔５１１を通って各栽培ポット５１０内に達することとなり、培養槽Ｓ内の培養水Ｗが流れても、各栽培ポット５１０内の植物Ｐの根Ｒに達する培養水Ｗは流れが乏しいものであった。
【０００６】
このため、各栽培ポット５１０内の培養水Ｗは長時間滞留し、植物Ｐへの液肥や酸素の供給が不足したり、各栽培ポット５１０内に藻が発生したり、各栽培ポット５１０内の培養水Ｗが腐敗したりするという問題があった。
【０００７】
また、植物Ｐの根Ｒが各栽培ポット５１０の底に当たって充分な発育ができなかったり、培養槽Ｓと孔５１１の間に生じる僅かな隙間から外部に伸びた場合でも、隣接する栽培ポット５１０内の植物Ｐの根Ｒと絡んだりするという問題があった。
【０００８】
本発明は、前述したような従来技術の問題を解決するものであって、すなわち、本発明の目的は、簡単な構造で各栽培ポット内に達する培養水の水流を充分に確保して、液肥や酸素の供給を増加させ、藻の発生や腐敗を防止するとともに、外部に伸びた根が絡むことを防止する水耕栽培トレイを提供することである。
【課題を解決するための手段】
【０００９】
本請求項１に係る発明は、底部に培養水が通過可能な孔を有する栽培ポットを複数整列して配置してなる水耕栽培トレイにおいて、前記栽培ポットが、底部の孔の周囲に円周方向に互いに間隙を有して下方に突出した複数の突起部を有することにより、前記課題を解決するものである。
【００１０】
本請求項２に係る発明は、請求項１に記載された水耕栽培トレイの構成に加えて、前記突起部が、前記孔の周囲に３つ以上、等角度間隔で設けられていることにより、前記課題をさらに解決するものである。
【００１１】
本請求項３に係る発明は、請求項１または請求項２に記載された水耕栽培トレイの構成に加えて、前記複数の突起部の間隙が、前記複数整列して配置された隣接する栽培ポットにおいて対向しない位置に設けられていることにより、前記課題をさらに解決するものである。
【００１２】
本請求項４に係る発明は、請求項１乃至請求項３のいずれかに記載された水耕栽培トレイの構成に加えて、前記複数整列して配置された栽培ポットが、一体に成型されていることにより、前記課題をさらに解決するものである。
【００１３】
本請求項５に係る発明は、請求項４に記載された水耕栽培トレイの構成に加えて、前記突起部が、四隅に配置された栽培ポットと中央部に配置された一部の栽培ポットにのみ設けられていることにより、前記課題をさらに解決するものである。
【００１４】
本請求項６に係る発明は、請求項１乃至請求項５のいずれかに記載された水耕栽培トレイの構成に加えて、前記突起部が、その断面形状を前記孔の反対側に頂点が位置する扁平な５角形状に形成され、該孔の反対側に位置する頂点以外の頂点が曲線状に面取りされていることにより、前記課題をさらに解決するものである。
【発明の効果】
【００１５】
本発明の水耕栽培トレイは、底部に培養水が通過可能な孔を有する栽培ポットを複数整列して配置することにより、栽培ポットにそれぞれ植物の苗を収容し、水耕栽培トレイを培養水が供給される培養槽に収容して植物を育成することができるとともに、以下のような格別の効果を奏することができる。
【００１６】
すなわち、本請求項１に係る発明の水耕栽培トレイは、栽培ポットが底部の孔の周囲に円周方向に互いに間隙を有して下方に突出した複数の突起部を有することによって、各栽培ポット内に達する培養水の水流を充分に確保することができ、液肥や酸素の供給を増加させることができ、藻の発生や腐敗を防止することができる。
【００１７】
本請求項２に係る発明の水耕栽培トレイは、請求項１に係る水耕栽培トレイが奏する効果に加えて、突起部が前記孔の周囲に３つ以上、等角度間隔で設けられていることにより、突起部の配置や方向を培養槽内に供給される培養水の流れに適したものとすることができるため、各栽培ポット内に達する培養水の水流を充分に確保することができ、液肥や酸素の供給を増加させることができ、藻の発生や腐敗を防止することができるとともに、栽培ポットに収容された植物の根が外部に伸びた際にその方向を適したものとすることができる。
【００１８】
本請求項３に係る発明の水耕栽培トレイは、請求項１または請求項２に係る水耕栽培トレイが奏する効果に加えて、複数の突起部の間隙が複数整列して配置された隣接する栽培ポットにおいて対向しない位置に設けられていることにより、培養槽内に供給される培養水の流れが突起部を回り込むよう調整されるため、栽培ポットに収容された植物の根が外部に伸びた際に、隣接する栽培ポットの孔の直下に直接延びることはなく、隣接する栽培ポットに収容された植物の根と絡むことを防止することができる。
【００１９】
本請求項４に係る発明の水耕栽培トレイは、請求項１乃至請求項３のいずれかに係る水耕栽培トレイが奏する効果に加えて、複数整列して配置された栽培ポットが一体に成型されていることにより、簡単な構造で容易に作成することができるとともに、水耕栽培トレイを培養槽に収容あるいは取出す際の取り扱いも容易に行うことができる。
【００２０】
本請求項５に係る発明の水耕栽培トレイは、請求項４に係る水耕栽培トレイが奏する効果に加えて、突起部が四隅に配置された栽培ポットと中央部に配置された一部の栽培ポットにのみ設けられていることにより、各栽培ポット内に達する培養水の水流をさらに充分に確保することができ、液肥や酸素の供給を増加させることができ、藻の発生や腐敗を防止することができる。
【００２１】
本請求項６に係る発明の水耕栽培トレイは、請求項１乃至請求項５のいずれかに係る水耕栽培トレイが奏する効果に加えて、突起部がその断面形状を前記孔の反対側に頂点が位置する扁平な５角形状に形成され、該孔の反対側に位置する頂点以外の頂点が曲線状に面取りされていることにより、培養槽内に供給される培養水の流れをより円滑に調整することができるため、各栽培ポット内に達する培養水の水流を充分に確保しつつ、隣接する栽培ポットに収容された植物の根と絡むことを防止することができる。
【図面の簡単な説明】
【００２２】
【図１】本発明の一実施例である水耕栽培トレイが収容される栽培装置の説明図。
【図２】本発明の一実施例である水耕栽培トレイの栽培ポットの側面図。
【図３】本発明の一実施例である水耕栽培トレイの栽培ポットの平面図。
【図４】本発明の一実施例である水耕栽培トレイの側面図および平面図。
【図５】本発明の一実施例である水耕栽培トレイの植物生育時の側面図。
【図６】本発明の他の実施例である水耕栽培トレイの栽培ポットの突起部の断面図。
【図７】本発明の他の実施例である水耕栽培トレイの栽培ポットの平面図。
【図８】従来の水耕栽培トレイの側面図および平面図。
【図９】従来の水耕栽培トレイの植物生育時の側面図。
【発明を実施するための形態】
【００２３】
本発明の水耕栽培トレイは、底部に培養水が通過可能な孔を有する栽培ポットを複数整列して配置してなる水耕栽培トレイにおいて、栽培ポットが底部の孔の周囲に円周方向に互いに間隙を有して下方に突出した複数の突起部を有するものであり、簡単な構造で各栽培ポット内に達する培養水の水流を充分に確保して、液肥や酸素の供給を増加させ、藻の発生や腐敗を防止するとともに、外部に伸びた根が絡むことを防止するものであれば、その具体的な実施態様は如何なるものであっても何ら構わない。
【００２４】
すなわち、本発明の水耕栽培トレイは、野菜、穀物、果実、観賞用植物等のいかなる植物を栽培するものであっても良く、種、苗等のいかなる状態から生育を開始するもののでも良く、いかなる状態で生育を完了するものであっても良い。
また、本発明の水耕栽培トレイは、屋内、屋外のいずれに設置されるものであっても良く、日照、潅水、施肥等はいかなる方法で行われるものであっても良く、特に、屋内に設置された栽培装置で人工照明により栽培するものが好適である。
【実施例１】
【００２５】
以下に、本発明の実施例である水耕栽培トレイについて図面に基づいて説明する。
本発明の第１実施例である水耕栽培トレイ１００は、図１に示すように、苗床Ｂに保持された植物Ｐを苗毎に収容する複数の栽培ポット１１０が整列して配置され、栽培装置Ｍの培養槽Ｓに収容される。
【００２６】
水耕栽培トレイ１００が収容された培養槽Ｓの上方には、照明装置Ｌが設けられて人工的に日照が行われるとともに、培養槽Ｓには培養水タンクＴからポンプＫによって培養水Ｗが供給される。
供給された培養水Ｗは、培養槽Ｓ内で一定の水位を保ちながら流れて、培養水タンクＴに回収される（図１中の矢印で模式的に示す。）。
培養水Ｗは、培養水タンクＴ内あるいは供給時に、植物Ｐの生育に必要な肥料分、酸素等が適宜補給され、必要に応じて濾過、交換等が行われる。
【００２７】
水耕栽培トレイ１００の各栽培ポット１１０は、図２乃至図５に示すように、底面に孔１１１を有し、苗床Ｂに保持された植物Ｐを苗毎に収容するように構成されている。
そして、底面の孔１１１の周りには、３か所の突起部１１２がそれぞれ間隙１１３を有して等間隔に設けられている。
【００２８】
この突起部１１２によって、栽培ポット１１０の底面と培養槽Ｓとの間に空間ができることによって、図２に示すように、培養水Ｗは孔１１１を通って栽培ポット１１０内を循環して長時間滞留することがなく、植物Ｐへの液肥や酸素の供給が不足したり、栽培ポット１１０内に藻が発生したり、栽培ポット１１０内の培養水Ｗが腐敗したりすることを防止できる。
【００２９】
また、水耕栽培トレイ１００の各栽培ポット１１０は、図４に示すように、平面視ですべての栽培ポット１１０の３か所の突起部１１２の方向をそろえて整列、すなわち、突起部１１２の間隙１１３が複数整列して配置された隣接する栽培ポット１１０において対向しない位置に設けられるように整列されている。
【００３０】
培養槽Ｓに供給された培養水Ｗは、各栽培ポット１１０の下部において、図３に示すように、突起部１１２を回避して間隙１１３を通過するように流れるため、培養槽Ｓ内での水耕栽培トレイ１００の下方の水流は、図４に示すように、上流の栽培ポット１１０の間隙１１３からの流れが突起部１１２によって左右に一旦別れて、該突起部１１２の左右の間隙１１３から栽培ポット１１０の下部に達するような水流となる。
【００３１】
このため、図５に示すように、植物Ｐの根Ｒが成長して栽培ポット１１０の孔１１１から外部に伸びても、隣接する下流の栽培ポット１１０の下部に直線的に流れる水流が発生しないため、下流の栽培ポット１１０の植物Ｐの根Ｒと絡むことが防止される。
【実施例２】
【００３２】
本発明の第２実施例である水耕栽培トレイの栽培ポットの突起部２１２は、図６、図７に示すように、その断面形状を孔２１１の反対側に頂点Ｃ１が位置する扁平な５角形状に形成され、孔２１１の反対側に位置する頂点Ｃ１以外の頂点Ｃ２乃至Ｃ５が曲線状に面取りされている。
その他の構成は、第１実施例と同様である。
【００３３】
このことにより、培養槽Ｓに供給された培養水Ｗの各栽培ポットの下部における流れは、突起部２１２にそって円滑に方向を変化させることができるため、第１実施例と同様の流れで、さらに円滑に培養水Ｗを流動させることができ、栽培ポット内を循環して長時間滞留することがなく、植物Ｐへの液肥や酸素の供給が不足したり、栽培ポット内に藻が発生したり、栽培ポット内の培養水Ｗが腐敗したりすることを防止できる。
【００３４】
以上説明したように、本発明によれば、簡単な構造で各栽培ポット内に達する培養水の水流を充分に確保して、液肥や酸素の供給を増加させ、藻の発生や腐敗を防止するとともに、外部に伸びた根が絡むことを防止することができる水耕栽培トレイを提供することができる。
【００３５】
なお、上記実施例では、図面において、各栽培ポット１１０が一体的に形成されて水耕栽培トレイ１００を形成しているが、各栽培ポット１１０を個別に取り外し可能としても良い。
また、上記実施例では、突起部１１２、２１２を各栽培ポット１１０に３個としたが、２個、あるいは４個以上設けても良い。
【００３６】
さらに、植物Ｐの根Ｒが孔１１１、２１１の外部にまで伸びることがない、あるいは絡まりにくい場合には、各栽培ポット１１０の内、四隅に配置された栽培ポット１１０と中央部に配置された一部の栽培ポット１１０にのみ突起部１１２、２１２を設け、他の栽培ポット１１０には突起部１１２、２１２を設けないことによって、水耕栽培トレイ１００全体での突起部１１２、２１２の数を減らし、培養槽Ｓに供給された培養水Ｗの流れをさらに円滑にし、栽培ポット１１０内に達する培養水Ｗの水流をさらに充分に確保して、液肥や酸素の供給を増加させ、藻の発生や腐敗を防止することができる。
【符号の説明】
【００３７】
１００、        ５００  ・・・水耕栽培トレイ
１１０、        ５１０  ・・・栽培ポット
１１１、２１１、５１１  ・・・孔
１１２、２１２          ・・・突起部
１１３、２１３          ・・・間隙
Ｐ                    ・・・植物
Ｂ                    ・・・苗床
Ｒ                    ・・・根
Ｍ                    ・・・栽培装置
Ｔ                    ・・・培養水タンク
Ｋ                    ・・・ポンプ
Ｌ                    ・・・照明装置
Ｓ                    ・・・培養槽
Ｗ                    ・・・培養水
【図１】
2011087520.tif 000003
【図２】
2011087520.tif 000004
【図３】
2011087520.tif 000005
【図４】
2011087520.tif 000006
【図５】
2011087520.tif 000007
【図６】
2011087520.tif 000008
【図７】
2011087520.tif 000009
【図８】
2011087520.tif 000010
【図９】
2011087520.tif 000011